(57)【要約】【課題】  本発明の目的とするところは、ディスプレイ装置で多様なアプリケーションへのアクセスおよび活用をより容易にすることにある。【解決手段】  ディスプレイ装置および方法が開示される。本発明の一実施形態に係るディスプレイ装置は、ディスプレイ部と、アプリケーションを保存する保存部と、アプリケーションを自動的に実行するためのオンタイマー（Ｏｎ  Ｔｉｍｅｒ）情報を入力される入力部と、オンタイマー情報に基づいてアプリケーションを自動的に実行し、アプリケーション実行画面をディスプレイするように、ディスプレイ部を制御する制御部とを含む。それにより、ディスプレイ装置は、予め保存された複数のアプリケーションのうち、少なくとも一つのアプリケーションをユーザが要求した時点で自動的に実行することができる。【選択図】図１
2013254493.tif 000002
【特許請求の範囲】
【請求項１】
ディスプレイ部と、
アプリケーションを保存する保存部と、
前記アプリケーションを自動的に実行するためのオンタイマー（Ｏｎ  Ｔｉｍｅｒ）情報を入力される入力部と、
前記オンタイマー情報に基づいて前記アプリケーションを自動的に実行し、前記アプリケーション実行画面をディスプレイするように、前記ディスプレイ部を制御する制御部と
を含むディスプレイ装置。
【請求項２】
前記制御部は、
前記入力部を介して前記アプリケーション実行に関連したオンタイマー情報が入力されると、前記入力されたオンタイマー情報を前記アプリケーションの識別情報にマッチングさせて保存することを特徴とする請求項１に記載のディスプレイ装置。
【請求項３】
前記制御部は、
前記ディスプレイ装置が非活性化状態である場合、前記ディスプレイ装置の電源をオンさせ、前記アプリケーションを実行するように制御することを特徴とする請求項１に記載のディスプレイ装置。
【請求項４】
前記制御部は、
前記入力部を介して入力された前記オンタイマー情報に対応する実行時間前に前記アプリケーションを実行するように制御することを特徴とする請求項１に記載のディスプレイ装置。
【請求項５】
前記制御部は、
前記入力部を介して入力された前記オンタイマー情報に対応する実行時間前に前記アプリケーション実行に関連した報知メッセージをディスプレイするように制御することを特徴とする請求項１に記載のディスプレイ装置。
【請求項６】
前記入力部は、
前記アプリケーションを自動的に削除するための有効期間情報を更に入力され、
前記制御部は、
前記有効期間情報に基づいて前記保存部に保存されたアプリケーションを自動的に削除することを特徴とする請求項５に記載のディスプレイ装置。
【請求項７】
前記入力部は、
前記アプリケーション実行画面の位置情報およびサイズ情報のうち少なくとも一方を更に入力され、
前記制御部は、
前記位置情報およびサイズ情報のうち少なくとも一方に基づいて、前記アプリケーション実行画面の位置およびサイズのうち少なくとも一方を調整することを特徴とする請求項５に記載のディスプレイ装置。
【請求項８】
ディスプレイ装置でアプリケーションを自動的に実行する方法において、
前記アプリケーションを自動的に実行するためのオンタイマー（Ｏｎ  Ｔｉｍｅｒ）情報を入力されるステップと、
前記オンタイマー情報に基づいて前記アプリケーションを自動的に実行するステップと、
前記アプリケーション実行画面をディスプレイするステップと
を含むディスプレイ方法。
【請求項９】
前記アプリケーション実行に関連したオンタイマー情報が入力されると、前記入力されたオンタイマー情報を前記アプリケーションの識別情報にマッチングさせて保存するステップを更に含むことを特徴とする請求項８に記載のディスプレイ方法。
【請求項１０】
前記実行するステップは、
前記ディスプレイ装置が前記非活性化状態である場合、前記ディスプレイ装置の電源をオンさせ、前記アプリケーションを実行することを特徴とする請求項８に記載のディスプレイ方法。
【請求項１１】
前記実行するステップは、
前記オンタイマー情報に対応する実行時間前に前記アプリケーションを実行することを特徴とする請求項８に記載のディスプレイ方法。
【請求項１２】
前記実行するステップは、
前記オンタイマー情報に対応する実行時間前に前記アプリケーション実行に関連した報知メッセージを生成し、
前記ディスプレイするステップは、
前記生成された報知メッセージをディスプレイすることを特徴とする請求項８に記載のディスプレイ方法。
【請求項１３】
前記入力されるステップは、
前記アプリケーションを自動的に削除するための有効期間情報を更に入力され、
前記実行するステップは、
前記有効期間情報に基づいて前記保存されたアプリケーションを自動的に削除することを特徴とする請求項１２に記載のディスプレイ方法。
【請求項１４】
前記入力されるステップは、
前記アプリケーション実行画面の位置情報およびサイズ情報のうち少なくとも一方を更に入力され、
前記実行するステップは、
前記位置情報およびサイズ情報のうち少なくとも一方に基づいて、前記アプリケーション実行画面の位置およびサイズのうち少なくとも一方を調整することを特徴とする請求項１２に記載のディスプレイ方法。
【発明の詳細な説明】
【技術分野】
【０００１】
本発明は、ディスプレイ装置および方法に関し、より詳細には、アプリケーションを自動実行するためのディスプレイ装置および方法に関する。
【背景技術】
【０００２】
スマートテレビのように、インターネットが可能なディスプレイ装置が広く普及されることにより、全世界の各放送事業者が提供するコンテンツをより簡単に利用することができるようになった。具体的に、スマートテレビのようなディスプレイ装置は、ユーザからの要求により、映画や音楽、ゲーム等のような多様なコンテンツを実行するための応用プログラム、すなわち、アプリケーションをダウンロードして保存する。その後、ディスプレイ装置は予め保存されたアプリケーションのうち、ユーザが選択したアプリケーションを実行して当該アプリケーションに関連するコンテンツを提供する。
【０００３】
このように、ディスプレイ装置は、多様なコンテンツ関連のアプリケーションがダウンロードされて保存されており、ユーザはディスプレイ装置に保存された多様なアプリケーションを検索して、自分が利用しようとするコンテンツ関連のアプリケーションが実行されるように選択しなければならない。
【０００４】
このように、従来のディスプレイ装置は、ユーザからアプリケーション実行要求があった場合にのみ、当該アプリケーションを実行するため、ユーザはダウンロードされたアプリケーションを実行するためには、毎回ディスプレイ装置に保存されたアプリケーションを検索して実行しようとするアプリケーションを選択しなければならないという不都合を余儀なくされていた。よって、ディスプレイ装置に保存された多様なアプリケーションへのアクセルおよび活用方法が模索されなければならない。
【先行技術文献】
【特許文献】
【０００５】
【特許文献１】韓国特開第２００６−０１２２１８５号公報
【特許文献２】韓国特開第２０１０−００６８７６０号公報
【特許文献３】日本特開第２００３−３２４７７０号公報
【発明の概要】
【発明が解決しようとする課題】
【０００６】
そこで、本発明は、上記問題に鑑みてなされたものであり、本発明の目的とするところは、ディスプレイ装置で多様なアプリケーションへのアクセスおよび活用をより容易にすることにある。
【課題を解決するための手段】
【０００７】
以上のような目的を達成するための本発明の一実施形態に係るディスプレイ装置は、ディスプレイ部と、アプリケーションを保存する保存部と、前記アプリケーションを自動的に実行するためのオンタイマー（Ｏｎ  Ｔｉｍｅｒ）情報を入力される入力部と、前記オンタイマー情報に基づいて前記アプリケーションを自動的に実行し、前記アプリケーション実行画面をディスプレイするように、前記ディスプレイ部を制御する制御部とを含む。
【０００８】
そして、前記制御部は、前記入力部を介して前記アプリケーション実行に関連したオンタイマー情報が入力されると、前記入力されたオンタイマー情報を前記アプリケーションの識別情報にマッチングさせて保存してよい。
【０００９】
なお、前記制御部は、前記ディスプレイ装置が非活性化状態である場合、前記ディスプレイ装置の電源をオンさせ、前記アプリケーションを実行するように制御してよい。
【００１０】
そして、前記制御部は、前記入力部を介して入力された前記オンタイマー情報に対応する実行時間前に前記アプリケーションを実行するように制御してよい。
【００１１】
なお、前記制御部は、前記入力部を介して入力された前記オンタイマー情報に対応する実行時間前に前記アプリケーション実行に関連した報知メッセージをディスプレイするように制御してよい。
【００１２】
そして、前記入力部は、前記アプリケーションを自動的に削除するための有効期間情報を更に入力され、前記制御部は、前記有効期間情報に基づいて前記保存部に保存されたアプリケーションを自動的に削除してよい。
【００１３】
なお、前記入力部は、前記アプリケーション実行画面の位置情報およびサイズ情報のうち少なくとも一方を更に入力され、前記制御部は、前記位置情報およびサイズ情報のうち少なくとも一方に基づいて、前記アプリケーション実行画面の位置およびサイズのうち少なくとも一方を調整してよい。
【００１４】
一方、本発明の一実施形態に係るディスプレイ装置でアプリケーションを自動的に実行する方法において、前記方法は、前記アプリケーションを自動的に実行するためのオンタイマー（Ｏｎ  Ｔｉｍｅｒ）情報を入力されるステップと、前記オンタイマー情報に基づいて前記アプリケーションを自動的に実行するステップと、前記アプリケーション実行画面をディスプレイするステップとを含む。
【００１５】
そして、前記アプリケーション実行に関連したオンタイマー情報が入力されると、前記入力されたオンタイマー情報を前記アプリケーションの識別情報にマッチングさせて保存するステップを更に含んでよい。
【００１６】
なお、前記実行するステップは、前記ディスプレイ装置が非活性化状態である場合、前記ディスプレイ装置の電源をオンさせ、前記アプリケーションを実行してよい。
【００１７】
そして、前記実行するステップは、前記オンタイマー情報に対応する実行時間前に前記アプリケーションを実行してよい。
【００１８】
なお、前記実行するステップは、前記オンタイマー情報に対応する実行時間前に前記アプリケーション実行に関連した報知メッセージを生成し、前記ディスプレイするステップは、前記生成された報知メッセージをディスプレイしてよい。
【００１９】
そして、前記入力されるステップは、前記アプリケーションを自動的に削除するための有効期間情報を更に入力され、前記実行するステップは、前記有効期間情報に基づいて前記保存されたアプリケーションを自動的に削除してよい。
【００２０】
なお、前記入力されるステップは、前記アプリケーション実行画面の位置情報およびサイズ情報のうち少なくとも一方を更に入力され、前記実行するステップは、前記位置情報およびサイズ情報のうち少なくとも一方に基づいて、前記アプリケーション実行画面の位置およびサイズのうち少なくとも一方を調整してよい。
【発明の効果】
【００２１】
以上説明したように、本発明によれば、ディスプレイ装置はユーザから入力されたオンタイマー情報に対応する実行時間に複数のアプリケーションのうち、少なくとも一つのアプリケーションを自動的に実行することができる。よって、ユーザはディスプレイ装置に保存された多様なアプリケーションへのアクセスおよび活用が容易になるという効果があった。
【図面の簡単な説明】
【００２２】
【図１】本発明の一実施形態に係るディスプレイ装置のブロック図である。
【図２】本発明の一実施形態に係るディスプレイ装置でオンタイマー情報に対応する設定時間にアプリケーションを自動実行する例示図である。
【図３】本発明の一実施形態に係るディスプレイ装置でオンタイマー情報に対応する設定時間にアプリケーションを自動実行をガイドする例示図である。
【図４】本発明の一実施形態に係るディスプレイ装置でオンタイマー情報に対応する設定時間に自動実行されるアプリケーションに関連したコンテンツを画面上にディスプレイする例示図である。
【図５】本発明の一実施形態に係るディスプレイ装置でオンタイマー情報に対応する設定時間にアプリケーションを自動実行する方法のフローチャートである。
【発明を実施するための形態】
【００２３】
以下に添付図面を参照しながら、本発明の好適な実施形態について詳細に説明する。
【００２４】
図１は、本発明の一実施形態に係るディスプレイ装置のブロック図である。
【００２５】
同図に示すように、ディスプレイ装置は、放送受信部１１０と、通信部１２０と、ディスプレイ部１３０と、入力部１４０と、制御部１５０および保存部１６０を含む。
【００２６】
放送受信部１１０は、ディスプレイ装置の入力端子を通じて放送信号を受信する。具体的に、放送受信部１１０は、外部放送伝送装置から衛星、ケーブル、地上波放送信号およびＤＶＤ、ゲームコンソール、ＰＶＲ等のような端末装置から映像信号を受信することができる受信モジュール（図示せず）と、受信した映像信号をチューニングするためのチューニング部（図示せず）を含んでよい。通信部１２０は、アプリケーションを提供する外部装置とネットワークを通じて通信を実行して当該外部装置で提供するアプリケーションをダウンロードされる。ここで、アプリケーションは、例えば、映画、音楽、ニュース、ゲーム等のサービスを利用するための応用プログラムである。
【００２７】
よって、外部装置で提供するアプリケーションが通信部１２０を介してダウンロードされると、保存部１６０は、ダウンロードされたアプリケーションを保存することができる。このようなダウンロードされたアプリケーションを保存する保存部１６０はフラッシュメモリのような非揮発性メモリ（Ｎｏｎ−Ｖｏｌａｔｉｌｅ・Ｍｅｍｏｒｙ）で実現されてよい。一方、本発明に係る保存部１６０は、ダウンロードされたアプリケーションを保存するだけでなく、製造者によって設定されたアプリケーションを保存することができる。
【００２８】
ディスプレイ部１３０は、制御部１５０の制御命令に従って、放送受信部１１０を介して受信した映像信号または保存部１６０に保存されたアプリケーションのうち、少なくとも一つのアプリケーションの実行画面をディスプレイする。
【００２９】
入力部１４０は、外部装置で提供するアプリケーションをダウンロードするためのユーザ要求情報を入力され、なお、保存部１６０に予め保存されたアプリケーションを自動的に実行するためのオンタイマー（Ｏｎ  Ｔｉｍｅｒ）情報を入力される。ここで、オンタイマー情報は、保存部１６０に保存された複数のアプリケーションのうち、少なくとも一つのアプリケーションを自動的に実行するための時間情報であってよい。しかし、本発明は、それに限定されずに、入力部１４０を介して入力されるオンタイマー情報はディスプレイ装置の電源をオン／オフさせたり、チャネル変更のための情報であることが望ましい。
【００３０】
制御部１５０は、入力部１４０を介して入力されたオンタイマー情報に基づいて保存部１６０に予め保存されたアプリケーションを自動的に実行し、実行されたアプリケーション画面がディスプレイされるようにディスプレイ部１３０を制御する。このような制御部１５０は、入力部１４０を介して保存部１６０に保存された複数のアプリケーションのうち、少なくとも一つのアプリケーション実行に関連するオンタイマー情報が入力されると、入力されたオンタイマー情報を当該アプリケーションの識別情報にマッチングさせて保存部１６０に保存する。よって、制御部１５０は、アプリケーションの識別情報とマッチングして保存されたオンタイマー情報に対応する実行時間に当該アプリケーションを実行することができる。
【００３１】
実施形態によって、ユーザは保存部１６０に保存された複数のアプリケーションのうち、少なくとも一つのアプリケーションを自動実行するために、入力部１４０を介してオンタイマー情報を入力してよい。このようなオンタイマー情報が入力されると、制御部１５０は入力されたオンタイマー情報を当該オンタイマー情報に基づいて自動的に実行したアプリケーションの識別情報にマッチングさせて保存部１６０に保存する。例えば、第１ないし第９アプリケーションのうち、第３アプリケーションを２０１２年５月５日の１２時に実行せよというオンタイマー情報が入力されると、制御部１５０は、第３アプリケーションの識別情報に入力された当該オンタイマー情報をマッチングさせて保存部１６０に保存する。その後、制御部１５０は、２０１２年５月５日の１２時になると、保存部１６０に保存された第１ないし第９アプリケーションのうち、第３アプリケーションを自動的に実行する。
【００３２】
よって、ディスプレイ部１３０は、制御部１５０によって自動実行された第３アプリケーションの実行画面をディスプレイすることにより、ユーザは自分が設定したオンタイマー情報に該当する日付および時間に第３アプリケーションに関連したコンテンツを提供されることができる。
【００３３】
このように、オンタイマー情報に基づいてアプリケーションを自動的に実行する制御部１５０は、ディスプレイ装置が非活性化である場合、ディスプレイ装置の電源をオンさせ、当該オンタイマー情報に関連したアプリケーションを自動的に実行することができる。
【００３４】
具体的に、制御部１５０は、保存部１６０にアプリケーション別にマッチングされて保存されたオンタイマー情報を分析し、現在自動実行を行うべきアプリケーションがあるかをチェックする。チェックの結果、現在自動実行すべきアプリケーションがあるとチェックされると、制御部１５０は、現在ディスプレイ装置が非活性化状態であるか、活性化状態か、すなわち、電源がオフ状態かオン状態かをチェックする。
【００３５】
チェックの結果、電源がオン状態とチェックされると、制御部１５０は、オンタイマー情報に対応する実行時間に当該アプリケーションを自動実行する。よって、ディスプレイ部１３０は、制御部１５０によって自動実行されたアプリケーション実行画面をディスプレイする。一方、チェックの結果、電源がオフ状態とチェックされると、制御部１５０は、オンタイマー情報に対応する実行時間に当該アプリケーションを自動実行する前に、ディスプレイ装置の電源をオンさせる。その後、制御部１５０は、オンタイマー情報に対応する実行時間に当該アプリケーションを自動実行する。よって、ディスプレイ部１３０は、制御部１５０によって自動実行されたアプリケーション実行画面をディスプレイする。
【００３６】
このように、ディスプレイ装置が非活性化状態か、活性化状態かをチェックした後、オンタイマー情報に対応する実行時間にオンタイマー情報に関連したアプリケーションを自動実行する制御部１５０は、オンタイマー情報に対応する実行時間前に当該アプリケーションを実行するように制御することが望ましい。一般的に、保存部１６０に保存されたアプリケーションを実行して当該アプリケーションに関連したコンテンツをディスプレイするためには、当該アプリケーションを駆動するための時間が必要である。よって、オンタイマー情報に対応する実行時間にオンタイマー情報に関連したアプリケーションを実行する場合、当該アプリケーションに関連したコンテンツが画面上にディスプレイされるのに多少時間がかかる。
【００３７】
しかし、本発明に係る制御部１５０は、オンタイマー情報に対応する実行時間前にオンタイマー情報に関連したアプリケーションを予め実行することで、オンタイマー情報に対応する実行時間に当該アプリケーションに関連したコンテンツを画面上に直ちにディスプレイすることができる。
【００３８】
一方、本発明の更なる態様によって、制御部１５０は、入力部１４０を介して入力されたオンタイマー情報に対応する実行時間前に当該アプリケーション実行に関連した報知メッセージをディスプレイするように制御する。例えば、ユーザは、保存部１６０は、保存された複数のアプリケーションのうちの一つのアプリケーションが２０１２年５月５日の１２時に自動実行するようにオンタイマー情報を入力することができる。このようなオンタイマー情報が入力されると、制御部１５０は、２０１２年５月５日の１１時５９分になる時点で当該オンタイマー情報に関連したアプリケーションが自動実行されることを知らせる報知メッセージを生成することができる。このような報知メッセージがディスプレイ部１３０を介して画面上にディスプレイされることで、ユーザが自動実行を設定したアプリケーションが直ちに自動実行されることを判断することができる。更に、ユーザは、このような報知メッセージを通じて現在視聴している放送を引き続き視聴するか、それとも、自動実行を設定したアプリケーションに関連したコンテンツを提供されるか否かを決定することができる。
【００３９】
一方、本発明に係る入力部１４０は、保存部１６０に予め保存されたアプリケーションを自動的に削除するための有効期間情報を更に入力されてよい。このような有効期間情報が入力されると、制御部１５０は、入力された有効期間情報に基づいて保存部１６０に保存されたアプリケーションを自動的に削除することができる。具体的に、ユーザは、保存部１６０に保存された複数のアプリケーションのうち、少なくとも一つのアプリケーションを自動削除するための有効期間情報を入力することができる。このような有効期間情報が入力部１４０を介して入力されると、制御部１５０は、入力された有効期間情報を当該アプリケーションの識別情報にマッチングさせて保存部１６０に保存する。その後、制御部１５０は、有効期間情報に対応する日付に当該有効期間情報に関連したアプリケーションを削除する。よって、ユーザは、保存部１６０に保存された不要なアプリケーションを一々検索して削除する不都合を解消することができる。
【００４０】
一方、本発明に係る入力部１４０は、アプリケーション実行画面の位置情報およびサイズ情報のうち、少なくとも一方を更に入力されてよく、制御部１５０は、入力部１４０を介して入力された位置情報およびサイズ情報のうち、少なくとも一方に基づいて当該アプリケーション実行画面の位置およびサイズのうち、少なくとも一方を調整することができる。
【００４１】
具体的に、ユーザは、保存部１６０に保存された複数のアプリケーションのうち、少なくとも一つのアプリケーションの位置情報およびサイズ情報のうち、少なくとも一方の情報を入力することができる。このような位置情報およびサイズ情報のうち、少なくとも一方の情報が入力されると、制御部１５０は、入力された情報を当該アプリケーションの識別情報にマッチングさせて保存することができる。ここで、位置情報およびサイズ情報のうち、少なくとも一方の情報がマッチングされるアプリケーションは、ユーザからの要求に応じて、自動実行に関連して設定されたオンタイマー情報がマッチしていることが望ましい。
【００４２】
よって、制御部１５０は、オンタイマー情報に対応する実行時間にオンタイマー情報に関連したアプリケーションを自動実行の際、当該アプリケーションの識別情報にマッチングした情報に基づいてアプリケーションの実行画面の位置またはサイズを調整することができる。一実施形態によって、保存部１６０に保存された複数のアプリケーションのうち、少なくとも一つのアプリケーションの識別情報にユーザによって設定されたオンタイマー情報およびサイズ情報がマッチングして保存されてよい。この場合、オンタイマー情報に対応する実行時間になると、制御部１５０は、オンタイマー情報に関連したアプリケーションを自動実行する。このとき、制御部１５０は、サイズ情報に基づいて自動実行されたアプリケーションの実行画面サイズを調整することができる。例えば、サイズ情報１／２縮小関連情報であれば、制御部１５０は、自動実行されたアプリケーションの実行画面サイズを全画面サイズの１／２に縮小することができる。このように、自動実行されるアプリケーションの画面サイズが調整されると、ディスプレイ部１３０は調整された画面サイズでアプリケーションの実行画面をディスプレイすることができる。
【００４３】
更に別の実施形態によって、保存部１６０に保存された複数のアプリケーションのうち、少なくとも一つのアプリケーションの識別情報にユーザによって設定されたオンタイマー情報とともにサイズ情報および位置情報がマッチングされて保存されてよい。この場合、オンタイマー情報に対応する実行時間になると、制御部１５０は、オンタイマー情報に関連したアプリケーションを自動実行する。このとき、制御部１５０は、サイズ情報に基づいて自動実行されたアプリケーションの実行画面サイズを調整する。その後、制御部１５０は、位置情報に基づいて当該アプリケーションの実行画面がディスプレイされるように、ディスプレイ部１３０を制御することができる。例えば、サイズ情報は１／４縮小に設定され、位置情報は右側上段表示に関連して設定されてよい。この場合、制御部１５０は、自動実行されたアプリケーションの実行画面サイズを全画面サイズの１／４に縮小し、１／４に縮小されたアプリケーションの実行画面が右側上段にディスプレイされるようにディスプレイ部１３０を制御することができる。それにより、ディスプレイ部１３０は、１／４に縮小されたアプリケーション実行画面を右側上段にディスプレイすることができる。
【００４４】
これまで、本発明に係るディスプレイ装置の各構成について詳細に説明してきた。以下では、図２ないし４を通じてディスプレイ装置でオンタイマー情報に対応する設定時間にアプリケーションを自動実行する動作について詳細に説明する。
【００４５】
図２は、本発明の一実施形態に係るディスプレイ装置でオンタイマー情報に対応する設定時間にアプリケーションを自動実行する例示図である。
【００４６】
同図に示すように、ユーザはディスプレイ装置の保存部１６０に保存された複数のアプリケーションのうち、少なくとも一つのアプリケーションが自動実行されるように要求することができる。例えば、ユーザは、複数のアプリケーションのうち、教養番組関連コンテンツ２２０を提供するアプリケーションが２０１２年５月５日の１２時に自動実行されるようにオンタイマー情報を入力することができる。このようなオンタイマー情報が入力されると、制御部１５０は、保存部１６０に保存された複数のアプリケーションのうち、教養番組関連コンテンツ２２０を提供するアプリケーションの識別情報に入力されたオンタイマー情報をマッチングさせて保存する。
【００４７】
よって、制御部１５０は、保存部１６０に保存されたオンタイマー情報に対応する実行時間、すなわち、２０１２年５月５日の１２時になる時点で教養番組関連コンテンツ２２０を提供するアプリケーションを自動実行することができる。
【００４８】
具体的に、図示のように、ディスプレイ装置は、現在ディスプレイ部１３０を介して外部放送伝送装置から提供される映像２１０をディスプレイすることができる。このような映像２１０をディスプレイしている状態で、制御部１５０は、保存部１６０に保存されたアプリケーション別にマッチングされたオンタイマー情報を分析して現在の時間および日付に対応するオンタイマー情報を獲得し、その獲得したオンタイマー情報に関連したアプリケーションを自動実行する。このように、ユーザが設定したオンタイマー情報に関連したアプリケーションが自動実行されると、ディスプレイ部１３０は自動実行されたアプリケーションの実行画面をディスプレイする。すなわち、ディスプレイ装置は、ディスプレイ部１３０を介して現在外部放送伝送装置から提供される映像２１０をディスプレイする場合、オンタイマー情報に対応する実行時間になると、オンタイマー情報に関連したアプリケーションを自動実行して当該アプリケーションに関連したコンテンツ２２０をディスプレイすることができる。
【００４９】
このように、本発明に係るディスプレイ装置は、ユーザによって設定されたオンタイマー情報に対応する実行時間に予め保存された複数のアプリケーションのうち、少なくとも一つのアプリケーションを自動実行することで、ユーザは自分が設定したオンタイマー情報に該当する日付および時間に予め保存されたアプリケーションに関連したコンテンツを提供されることができる。
【００５０】
図３は、本発明の一実施形態に係るディスプレイ装置でオンタイマー情報に対応する設定時間にアプリケーションを自動実行をガイドする例示図である。
【００５１】
同図に示すように、ユーザはディスプレイ装置の保存部１６０に保存された複数のアプリケーションのうち、少なくとも一つのアプリケーションが自動実行されるように要求することができる。図２において説明した例のように、ユーザは、複数のアプリケーションのうち、教養番組関連コンテンツ２２０を提供するアプリケーションが２０１２年５月５日の１２時に自動実行されるようにオンタイマー情報を入力することができる。このようなオンタイマー情報が入力されると、制御部１５０は、保存部１６０に保存された複数のアプリケーションのうち、教養番組関連コンテンツ２２０を提供するアプリケーションの識別情報に入力されたオンタイマー情報をマッチングさせて保存する。
【００５２】
その後、制御部１５０は、保存部１６０に保存されたオンタイマー情報に対応する実行時間、すなわち、２０１２年５月５日の１２時になる時点で教養番組関連コンテンツ２２０を提供するアプリケーションを自動実行することができる。このように、オンタイマー情報に対応する実行時間にオンタイマー情報に関連したアプリケーションを自動的に実行する制御部１５０は、当該アプリケーションを自動実行する前に、アプリケーション自動実行されることを知らせる報知メッセージ３２０を生成することができる。例えば、制御部１５０は、２０１２年５月５日の１１時５９分になる時点でアプリケーション自動実行されることを知らせる報知メッセージ３２０を生成することができる。
【００５３】
このような報知メッセージ３２０が生成されると、ディスプレイ装置は、ディスプレイ部１３０を介して外部放送伝送装置から提供される映像３１０とともに“アプリケーション実行１分前です”という報知メッセージ３２０をディスプレイする。よって、ユーザは、自動実行を設定したアプリケーションが直ちに自動実行されることを判断し、現在視聴している映像３２０を引き続き視聴するか、それとも、自動実行を設定したアプリケーションに関連したコンテンツを提供されるか否かを決定することができる。
【００５４】
図４は、本発明の一実施形態に係るディスプレイ装置でオンタイマー情報に対応する設定時間に自動実行されるアプリケーションに関連したコンテンツを画面上にディスプレイする例示図である。
【００５５】
同図に示すように、ユーザは、ディスプレイ装置の保存部１６０に保存された複数のアプリケーションのうち、少なくとも一つのアプリケーションが自動実行されるように要求することができる。例えば、ユーザは、複数のアプリケーションのうち、スケジュール管理に関連したコンテンツ４２０を提供するアプリケーションが毎日午前７時に自動実行されるように、オンタイマー情報を入力することができる。なお、ユーザは、当該コンテンツ４２０が画面の１／８の大きさのサイズに画面の右側上段にディスプレイされるように、サイズ情報および位置情報を入力することができる。このようなオンタイマー情報、サイズ情報および位置情報が入力されると、制御部１５０は、保存部１６０に保存された複数のアプリケーションのうち、スケジュール管理に関連したコンテンツ４２０を提供するアプリケーションの識別情報に入力されたオンタイマー情報、サイズ情報および位置情報をマッチングさせて保存する。
【００５６】
その後、制御部１５０は、保存部１６０に保存されたオンタイマー情報に対応する実行時間、すなわち、午前７時になる時点にスケジュール管理に関連したコンテンツ４２０を提供するアプリケーションを自動実行することができる。このとき、制御部１５０は、当該アプリケーションの実行画面のサイズが全画面サイズの１／８に縮小されるように調整し、１／８に縮小されたアプリケーションの実行画面が画面の右側上段にディスプレイされるようにディスプレイ部１３０を制御する。
【００５７】
それにより、ディスプレイ部１３０は、外部放送伝送装置から提供される映像３１０とともに１／８に縮小されたアプリケーションの実行画面を画面の右側上段にディスプレイする。よって、ユーザは、毎日午前７時になると、ディスプレイ装置の右側上段にディスプレイされるスケジュール管理に関連したコンテンツ４２０を通じてその日のスケジュールを確認することができる。
【００５８】
これまで、本発明に係るディスプレイ装置でオンタイマー情報に対応する実行時間にアプリケーションを自動的に実行する動作に対して多様な実施形態を通じて詳細に説明してきた。以下では、本発明に係るディスプレイ装置でオンタイマー情報に対応する実行時間にアプリケーションを自動的に実行する方法について詳細に説明する。
【００５９】
図５は、本発明の一実施形態に係るディスプレイ装置でオンタイマー情報に対応する設定時間にアプリケーションを自動実行する方法のフローチャートである。
【００６０】
同図に示すように、ディスプレイ装置は、ネットワークを通じてアプリケーションを提供する外部装置とデータ通信を行ってユーザが要求したアプリケーションを受信する。その後、ディスプレイ装置は受信したアプリケーションをダウンロードした後、そのダウンロードされたアプリケーションを保存部に保存する（Ｓ５１０）。このように、ダウンロードされたアプリケーションを保存する保存部は、ユーザからの要求に応じてダウンロードされたアプリケーションだけでなく、製造者によって予め設定されたアプリケーションを保存することができる。
【００６１】
複数のアプリケーションが保存部に保存された状態で、ユーザは保存部に保存された複数のアプリケーションのうち、少なくとも一つのアプリケーションを自動実行するためのオンタイマー情報を入力する（Ｓ５２０）。このようなオンタイマー情報が入力されると、ディスプレイ装置は入力されたオンタイマー情報をユーザが要求したアプリケーションの識別情報にマッチングさせて保存する（Ｓ５３０）。
【００６２】
このように、保存部に保存された複数のアプリケーションのうち、少なくとも一つのアプリケーションの識別情報にユーザから入力されたオンタイマー情報がマッチングされて入力されると、ディスプレイ装置は、オンタイマー情報に基づいてオンタイマー情報に関連したアプリケーションを自動的に実行する。具体的に、ディスプレイ装置は、保存部にアプリケーション別にマッチングされて保存されたオンタイマー情報を分析し、現在自動実行を行うべきアプリケーションがあるかをチェックする。チェックの結果、現在自動実行を行うべきアプリケーションがあるとチェックされると、ディスプレイ装置は、現在ディスプレイ装置が活性化状態にあるかをチェックする（Ｓ５４０）。すなわち、ディスプレイ装置は、現在ディスプレイ装置の電源がオン状態であるかをチェックする。
【００６３】
チェックの結果、電源がオン状態にあるとチェックされると、ディスプレイ装置はオンタイマー情報に対応する実行時間に当該アプリケーションを自動実行する（Ｓ５５０）。一方、チェックの結果、ディスプレイ装置の電源がオフ状態にあるとチェックされると、ディスプレイ装置はオンタイマー情報に対応する実行時間に当該アプリケーションを自動実行する前に、ディスプレイ装置の電源をオンさせる（Ｓ５６０）。その後、ステップＳ５５０を通じてオンタイマー情報に対応する実行時間に当該アプリケーションを自動実行する。
【００６４】
このように、本発明に係るディスプレイ装置は、非活性化状態か、活性化状態かをチェックし、非活性化の状態であれば、活性化状態に切り替えた後、オンタイマー情報に対応する実行時間にオンタイマー情報に関連したアプリケーションを自動的に実行することができる。
【００６５】
このように、オンタイマー情報に対応する時間にオンタイマー情報に関連したアプリケーションを自動的に実行するディスプレイ装置は、オンタイマー情報に対応する実行時間前に当該アプリケーションを実行することができる。このように、本発明に係るディスプレイ装置は、オンタイマー情報に対応する実行時間前にオンタイマー情報に関連したアプリケーションを予め実行することで、オンタイマー情報に対応する実行時間に当該アプリケーションに関連したコンテンツを画面上に直ちにディスプレイすることができる。
【００６６】
一方、本発明の更なる態様により、ディスプレイ装置はユーザによって入力されたオンタイマー情報に対応する実行時間前に当該アプリケーション実行に関連した報知メッセージをディスプレイするように制御することができる。このように、本発明に係るディスプレイ装置は、オンタイマー情報に対応する実行時間前に当該アプリケーション実行に関連した報知メッセージをディスプレイすることにより、ユーザは自動実行を設定したアプリケーションが直ちに自動実行されることを判断することができる。更に、ユーザは、このような報知メッセージを通じて現在視聴している放送を引き続き視聴するか、それとも、自動実行を設定したアプリケーションに関連したコンテンツを提供されるか否かを決定することができる。このように、報知メッセージをディスプレイする動作は、図３を通じて詳細に説明しているため、以下では詳細な説明は省略する。
【００６７】
一方、本発明に係るディスプレイ装置は、ステップＳ５２０を通じてユーザからアプリケーションを自動的に削除するための有効期間情報を更に入力されることができる。このような有効期間情報が入力されると、ディスプレイ装置は入力された有効期間情報に基づいて保存部に予め保存されたアプリケーションを自動的に削除することができる。具体的に、ユーザによってアプリケーションを自動的に削除するための有効期間情報が入力されると、ディスプレイ装置は入力された有効期間情報を当該アプリケーションの識別情報にマッチングさせて保存部に保存する。その後、ディスプレイ装置は、有効期間情報に対応する日付に当該有効期間情報に関連したアプリケーションを削除する。よって、ユーザは保存部に保存された不要なアプリケーションを検索して削除するという不都合を解消することができる。
【００６８】
一方、本発明に係るディスプレイ装置は、ステップＳ５２０を通じてアプリケーション実行画面の位置情報およびサイズ情報のうち、少なくとも一方を更に入力されてよい。このように、ユーザからアプリケーション実行画面の位置情報およびサイズ情報のうち、少なくとも一方の情報が入力されると、ディスプレイ装置は入力された情報に基づいて当該アプリケーション実行画面の位置およびサイズのうち、少なくとも一方を調整することができる。
【００６９】
具体的に、ユーザは保存部に保存された複数のアプリケーションのうち、少なくとも一つのアプリケーションの位置情報およびサイズ情報のうち、少なくとも一方の情報を入力することができる。このような位置情報およびサイズ情報のうち、少なくとも一方の情報が入力されると、ディスプレイ装置は入力された情報を当該アプリケーションの識別情報にマッチングさせて保存することができる。ここで、位置情報およびサイズ情報のうち、少なくとも一方の情報がマッチングされるアプリケーションはユーザからの要求に応じて、自動実行に関連して設定されたオンタイマー情報がマッチングされていることが望ましい。
【００７０】
よって、ディスプレイ装置は、オンタイマー情報に対応する実行時間に当該オンタイマー情報に関連したアプリケーションを自動実行時、アプリケーションの識別情報にマッチングされた情報に基づいてアプリケーションの実行画面の位置またはサイズを調整することができる。このように、ディスプレイ装置でユーザからの要求に応じて、アプリケーションの実行画面の位置またはサイズを調整する動作は、図１または図４を通じて詳細に説明しているため、詳細な説明は省略する。
【００７１】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【００７２】
１１０  放送受信部
１２０  通信部
１３０  ディスプレイ部
１４０  入力部
１５０  制御部
１６０  保存部
２１０  映像
２２０  コンテンツ
３１０  外部放送伝送装置から提供される映像
３２０  報知メッセージ
４２０  スケジュール管理に関連したコンテンツ
【図１】
2013254493.tif 000003
【図２】
2013254493.tif 000004
【図３】
2013254493.tif 000005
【図４】
2013254493.tif 000006
【図５】
2013254493.tif 000007